(57)【要約】不透明なシミュレートされた虹彩模様を有するコンタクトレンズ及び対応する製造方法。不透明なシミュレートされた虹彩模様は、優れた色変換のために下にある自然な虹彩を隠蔽し、増強された美容効果を提供する。【特許請求の範囲】
【請求項１】
実質的に透明な材料で形成されたレンズボディと、
前記レンズボディに被着された不透明なシミュレートされた虹彩模様と、
前記シミュレートされた虹彩模様の上に被さって前記シミュレートされた虹彩模様を前記レンズボディとの間に実質的に封じ込める材料の実質的に透明なカバー層と
を含むコンタクトレンズ。
【請求項２】
前記不透明なシミュレートされた虹彩模様が、異なる色の複数の不連続な模様要素を含み、前記複数の不連続な模様要素が連結して連続的な不透明模様を形成する、請求項１記載のコンタクトレンズ。
【請求項３】
前記不透明なシミュレートされた虹彩模様が、前記シミュレートされた虹彩模様の隣接部分よりも濃い色合いの内寄り領域を含む、請求項１又は２記載のコンタクトレンズ。
【請求項４】
前記レンズボディが凹形ベース面及び凸形外面を含み、前記不透明なシミュレートされた虹彩模様が凹形ベース面に被着されている、請求項１〜３のいずれか１項記載のコンタクトレンズ。
【請求項５】
前記レンズボディと前記カバー層とが同種のポリマーを含む、請求項１〜４のいずれか１項記載のコンタクトレンズ。
【請求項６】
前記不透明なシミュレートされた虹彩模様が、モノマーベース及び顔料を含むインクを含む、請求項１〜５のいずれか１項記載のコンタクトレンズ。
【請求項７】
凹形ベース面と、凸形外面と、前記凹形ベース面及び前記凸形外面の一方に沿ってその中に成形された不透明なシミュレートされた虹彩模様とを含むコンタクトレンズであって、前記不透明なシミュレートされた虹彩模様が、ほぼ平坦な虹彩模様の見かけを呈示するために選択的に色及び濃淡を付けられた少なくとも一つの模様要素を含むコンタクトレンズ。
【請求項８】
前記不透明なシミュレートされた虹彩模様が、異なる色の複数の不連続な模様要素を含み、前記複数の不連続な模様要素が連結して連続的な不透明模様を形成する、請求項７記載のコンタクトレンズ。
【請求項９】
前記少なくとも一つの模様要素が、前記模様要素の隣接部分よりも濃い色合いの内寄り領域を含む、請求項７又は８記載のコンタクトレンズ。
【請求項１０】
前記不透明なシミュレートされた虹彩模様が、前記少なくとも一つの模様要素の上に被さる材料の実質的に透明なカバー層を含む、請求項７〜９のいずれか１項記載のコンタクトレンズ。
【請求項１１】
前記不透明なシミュレートされた虹彩模様が、レンズ材料ベース及び顔料を含むインクを含む、請求項７〜１０のいずれか１項記載のコンタクトレンズ。
【請求項１２】
不透明なシミュレートされた虹彩模様を型に塗布することと、
レンズ材料を注型してレンズボディを成形することと、
不透明なシミュレートされた虹彩模様を型からレンズボディに転写することとを含む、コンタクトレンズ成形方法。
【請求項１３】
不透明なシミュレートされた虹彩模様を型に塗布する工程が、透明インクの層を型に塗布し、着色剤を含む少なくとも一つの模様要素を透明インクの層の上に塗布することを含む、請求項１２記載の方法。
【請求項１４】
不透明なシミュレートされた虹彩模様を型に塗布する工程が、異なる色を有する少なくとも二つの模様要素を順に型に塗布することを含む、請求項１２記載の方法。
【請求項１５】
不透明なシミュレートされた虹彩模様を型に塗布する工程が、異なる色の複数の不連続な模様要素を型に塗布することを含み、前記複数の不連続な模様要素が連結して連続的な不透明模様を形成する、請求項１２記載の方法。
【請求項１６】
不透明なシミュレートされた虹彩模様を型に塗布する工程が転写パッドプリントを含む、請求項１２〜１５のいずれか１項記載の方法。
【請求項１７】
凹形ベース面と、凸形外面と、凹形ベース面及び凸形外面の一方に沿った不透明なシミュレートされた虹彩模様とを有するレンズを成形することを含む、請求項７記載のコンタクトレンズを成形する方法であって、不透明なシミュレートされた虹彩模様の選択的に色及び濃淡を付けられた少なくとも一つの模様要素をレンズに被着してほぼ平坦な虹彩模様の見かけを作り出すことをさらに含む方法。
【請求項１８】
選択的に色及び濃淡を付けられた少なくとも一つの模様要素をレンズに被着する工程が、流し込み成形中に、不透明なシミュレートされた虹彩模様の選択的に色及び濃淡を付けられた少なくとも一つの模様要素を型表面からレンズに転写することを含む、請求項１７記載の方法。
【請求項１９】
選択的に色及び濃淡を付けられた少なくとも一つの模様要素を被着する工程が、選択的に色及び濃淡を付けられた少なくとも一つの模様要素を予備成形済みレンズに被着することを含む、請求項１７記載の方法。
【請求項２０】
選択的に色及び濃淡を付けられた少なくとも一つの模様要素を被着する工程が、異なる色の複数の不連続な模様要素をレンズに被着することを含み、前記複数の不連続な模様要素が連結して連続的な不透明模様を形成する、請求項１７記載の方法。
【請求項２１】
イソプロピルアルコール、ヒドロキシエチルメタクリレート及びポリビニルピロリドンを含む、コンタクトレンズ用のインク組成物。
【請求項２２】
ベンゾインメチルエーテルをさらに含む、請求項２１記載のインク組成物。
【請求項２３】
酸化チタン（ＩＶ）、フタロシアニングリーン、赤色酸化鉄、フタロシアニンブルー、黄色酸化鉄、クロモフタルバイオレット、緑色酸化クロム及び黒色酸化鉄から選択される少なくとも一つの顔料をさらに含む、請求項２１又は２２記載のインク組成物。
【請求項２４】
顔料を約５〜１５重量％含む、請求項２３記載のインク組成物。
【請求項２５】
イソプロピルアルコールを少なくとも約５０重量％含む、請求項２１〜２４のいずれか１項記載のインク組成物。
【請求項２６】
ヒドロキシエチルメタクリレートを少なくとも約１０重量％含む、請求項２１〜２５のいずれか１項記載のインク組成物。
【発明の詳細な説明】
【０００１】
発明の背景
発明の分野
本発明は一般に光学レンズに関し、より具体的には、美容的増強及び／又は視力矯正のための不透明なシミュレートされた虹彩模様を有するコンタクトレンズに関する。
【０００２】
関連技術の記載
光学コンタクトレンズは美容効果のために使用されることも多い。たとえば、装用者の虹彩の見かけ色を変更するために色付きコンタクトレンズを眼に装用することが知られている。所望の色の着色剤、たとえば染料又は顔料が、自然な虹彩の上に被さるように適合された模様でコンタクトレンズに被着されて、それにより、自然な虹彩色を変える。このようなコンタクトレンズは、視力矯正を提供することもできるし、単に美容目的であることもできる。
【０００３】
多くの公知の色変更レンズについて写実的で自然な虹彩の見かけを作り出すことは困難であることがわかった。たとえば、自然な虹彩は比較的平坦であるが、一般的なコンタクトレンズは、角膜の湾曲にほぼ一致するように適合された有意な凹凸湾曲を有している。その結果、コンタクトレンズの凹面又は凸面に被着されるシミュレートされた虹彩模様の使用は、湾曲した虹彩の不自然な見かけを作り出す。
【０００４】
より自然な見かけを付与する色変更コンタクトレンズを提供する試行がなされてきた。たとえば、着色剤を、下にある自然な虹彩模様を完全には隠蔽しない非不透明な色変更虹彩模様でレンズに被着することができる。たとえば、模様を一連の色付きドットの形態で被着して、レンズの虹彩上に断続的な色付き模様を作り出し、ドット間に多数の色なしの間隙を残すことができる。装用者の自然な虹彩がこれら透明な間隙を通して見え、より自然な虹彩模様を提供し、深みのある見かけを与えるといわれている。
【０００５】
また、レンズ素材の一部を切り欠き、その切欠きによって形成されたレンズ素材の表面にシミュレートされた虹彩模様を捺印することが公知である。そして、捺印した虹彩模様の上にレンズ材料を再び注型して切欠き部分を置き換え、模様をレンズボディ内に閉じ込める。しかし、この方法は、いくらか手間がかかり時間を費やさせ、したがって比較的高価である。
【０００６】
多くの色変更レンズは、不透明性を有する着色剤を使用するというだけで、市場では「不透明」と指定されている。しかし、「不透明な」着色剤をレンズに被着するやり方は、通常、そのものが真に不透明ではないレンズ模様を生じさせる。たとえば、各個別のドットを含む着色剤そのものが不透明であるとしても、模様中の隣接するドットの間隙を通して光及び色が容易に透過するため、複数のそのようなドットによって形成される虹彩模様は通常、不透明にはならない。その結果、装用者の自然な眼の色の一部がレンズ越しに見える。ユーザが濃いめの自然な眼の色をより淡い色に変えることを望む場合、これは特に問題である。
【０００７】
したがって、色を変更するために全面的に不透明な虹彩模様を有するが、写実的で自然な見かけを呈示するコンタクトレンズを提供することが望ましいということがわかった。また、このようなレンズを製造するための効率的な方法を提供することが望ましい。これらの要求及び他の要求を満たすコンタクトレンズ及び対応する製造方法を提供することこそ、本発明が本質的に目指すものである。
【０００８】
発明の概要
本発明は、不透明なシミュレートされた虹彩模様を上に被着されたコンタクトレンズ及び当該レンズを成形する方法を提供する。本明細書で使用する「不透明な虹彩模様を有するレンズ」とは、レンズの色変更効果を妨げるおそれがある、下に存在する自然な虹彩からの色透過を実質的に完全に遮断するシミュレートされた虹彩模様を有するレンズをいう。虹彩模様は、好ましくは、写実的で自然な見かけを出すため、実質的に平坦な虹彩の見かけを提供する。レンズは、視力矯正を提供することもできるし、単に美容目的であることもできる。
【０００９】
一つの態様では、本発明は、実質的に透明な材料で形成されたレンズボディと、レンズボディに被着された不透明なシミュレートされた虹彩模様と、シミュレートされた虹彩模様の上に被さってシミュレートされた虹彩模様をレンズボディとの間に実質的に閉じ込める材料の実質的に透明なカバー層とを含むことが好ましいコンタクトレンズである。
【００１０】
もう一つの態様では、本発明は、凹形ベース面と、凸形外面と、凹形ベース面及び凸形外面の一方に沿ってその中に成形された不透明なシミュレートされた虹彩模様とを含むことが好ましいコンタクトレンズである。不透明なシミュレートされた虹彩模様は、好ましくは、ほぼ平坦な虹彩模様の見かけを呈示するために選択的に色及び濃淡を付けられた少なくとも一つの模様要素を含む。
【００１１】
以下、本発明のレンズの数多くのさらなる好ましい実施態様及び任意の実施態様をさらに詳細に記載する。たとえば、不透明なシミュレートされた虹彩模様は、異なる色の複数（すなわち二以上）の不連続な模様要素を含むことができ、これらの不連続な模様が連結して連続的な不透明模様を形成する。一以上の模様要素は、模様要素の隣接部分よりも濃い色合いの内寄り領域を含むことができる。不透明なシミュレートされた虹彩模様は、模様要素の上に被さる材料の実質的に透明なカバー層を含むことができる。レンズボディとカバーとは同種のポリマーで形成することができる。
【００１２】
もう一つの態様では、本発明は、コンタクトレンズを成形する方法である。この方法は、好ましくは、不透明なシミュレートされた虹彩模様を型に塗布することと、レンズ材料を注型してレンズボディを成形することと、不透明なシミュレートされた虹彩模様を型からレンズボディに転写することとを含む。
【００１３】
さらに別の態様では、本発明は、コンタクトレンズを成形する方法であって、好ましくは、凹形ベース面と、凸形外面と、凹形ベース面及び凸形外面の一方に沿う不透明なシミュレートされた虹彩模様とを有するレンズを成形することを含む方法である。この方法は、好ましくは、不透明なシミュレートされた虹彩模様の選択的に色及び濃淡を付けられた少なくとも一つの模様要素をレンズに被着してほぼ平坦な虹彩模様の見かけを作り出すことをさらに含む。
【００１４】
もう一つの態様では、本発明は、コンタクトレンズ用のインク組成物である。このインク組成物は、好ましくは、イソプロピルアルコール、ヒドロキシエチルメタクリレート及びポリビニルピロリドンを含む。インク組成物は、場合によっては、ベンゾインメチルエーテル及び／又は顔料をさらに含む。好ましい態様では、顔料は、以下の群：酸化チタン（ＩＶ）、フタロシアニングリーン、赤色酸化鉄、フタロシアニンブルー、黄色酸化鉄、クロモフタルバイオレット、緑色酸化クロム及び黒色酸化鉄から選択される一以上の生体適合性顔料を含む。
【００１５】
添付図面に示す実施例を参照しながら本発明のこれら及び他の特徴及び利点を本明細書に記載する。
【００１６】
詳細な説明
ここで、同じ参照番号は同じ部品を通して表す図面を参照して、本発明の好ましい態様を説明する。図１ａ及び１ｂは、本発明の好ましい態様のコンタクトレンズ１０を示す。レンズ１０は、ハードレンズ、ソフトレンズ、長期間装用レンズ又は他いかなるタイプのコンタクトレンズであってもよい。レンズ１０は通常、凹形内面又はベース面１２及び凸形外面１４によって画定されるレンズボディを含む。好ましくは、レンズ１０の外縁が装用者の眼の輪部に接触し、レンズの中心が角膜の瞳孔領域の頂点に接触して、レンズと眼との間で涙の層による３点フィットを提供する。レンズボディは、好ましくは、実質的に透明な生体適合性レンズ材料で形成されている。たとえば、レンズボディは、重合ヒドロキシエチルメタクリレート（ＨＥＭＡ）ベースのレンズ材料、ポリシロキサン、ポリビニルアルコール（ＰＶＡ）、ヒドロゲル、ホモポリマー、コポリマー及び／又は他の生体適合性の透明な材料で形成することができる。レンズボディは、着色されていてもよいし着色されていなくてもよい。レンズ１０は、所望の程度の矯正を提供するように設計されていてもよいし、純粋に美容目的であってもよい。
【００１７】
レンズ１０は、好ましくは、レンズボディに被着された不透明なシミュレートされた虹彩模様２０をさらに含む。好ましい態様では、シミュレートされた虹彩模様２０は、レンズボディのベース面１２の中に成形されるか、他の方法でその上に被着される。あるいはまた、シミュレートされた虹彩模様２０は、外面１４の中に成形されるか、他の方法でその上に被着される。シミュレートされた虹彩模様２０をベース面１２に被着すると、３点フィットがシミュレートされた虹彩模様の領域でレンズと眼との直接接触を防ぐため、また、瞬きしたときでもまぶたがシミュレートされた虹彩模様と接触しないため、大部分の装用者にとって快適さが改善する。シミュレートされた虹彩模様２０をベース面に被着することはまた、より写実的な見かけのため、シミュレートされた虹彩模様を自然な虹彩のより近くに配置する。シミュレートされた虹彩模様は、好ましくは、その外縁がレンズの外周縁に隣接する状態で円環を形成するように被着される。この虹彩模様は、装用したとき自然な虹彩を隠蔽するのに十分な幅を有し、装用者の瞳孔の上にかぶさる中央のオプチカルゾーン２２を隠蔽せずに残す。
【００１８】
シミュレートされた虹彩模様２０は、好ましくは、顔料、染料又は他の着色剤を含むインクを含む。シミュレートされた虹彩模様２０は、実質的にいかなる色にすることもでき、好ましい態様では、自然な眼の色、たとえば青、緑、茶又はそれらの種々の組み合わせである。代替態様では、シミュレートされた虹彩模様２０は、ヒトには一般に生じない不自然な眼の色又は色の組み合わせである。さらなる代替態様では、シミュレートされた虹彩模様２０は、一以上の模様、ロゴ、広告もしくは情報資料、図形又は他の意匠を組み込む。なおさらなる実施態様では、シミュレートされた虹彩模様２０は、自然な虹彩の形をとる模様ではなく、むしろ、不自然な虹彩模様、たとえば猫眼模様又は幾何学的デザインである。好ましい態様で、シミュレートされた虹彩模様は、レンズの色変更効果を抑止するおそれのある、下に存在する自然な虹彩からの色透過を実質的に完全に遮断する。このようにして、淡めの色のシミュレートされた虹彩模様２０がより濃い自然な虹彩色を効果的に覆い隠す。
【００１９】
レンズ１０は、好ましくは、シミュレートされた虹彩模様２０の上に被さってシミュレートされた虹彩模様をレンズボディとの間に実質的に閉じ込める材料の実質的に透明なカバー層３０をさらに含む。カバー層３０は、好ましくは、レンズボディの材料と実質的に同種又は同一であるポリマー材料を含み、それにより、カバー層３０とレンズボディとの間で改善された結合を提供する。ある実施例では、レンズボディ及びカバー層３０それぞれは、重合ヒドロキシエチルメタクリレート（ＨＥＭＡ）ベースの材料を含む。好ましくは、カバー層３０は、以下で詳細に説明する、シミュレートされた虹彩模様２０を形成するインクに実質的に類似した化学組成を有する、着色剤なしの透明インクとして被着される。たとえば、ＨＥＭＡベースの材料を含むインクは、ＨＥＭＡベースのカバー層及びレンズボディとで優れた化学結合を提供して、レンズ結着性の改善をもたらす。代替態様では、カバー層３０は、接着性を有するポリマーであってもよく、レンズボディと同種のポリマー材料であってもよいし、なくてもよい。たとえば、カバー層は、ポリビニルピロリドン（ＰＶＰ）、ポリビニルアルコール（ＰＶＡ）及び／又はポリ酢酸ビニル（ＰＶＡｃ）を含むことができる。カバー層３０は、（ｉ）使用、貯蔵及び／又は洗浄中に虹彩模様を形成する色付きインクがレンズから滲出することを防ぐこと、（ｉｉ）レンズマトリックスに付着してレンズの剥離及び分離を防ぐこと、ならびに（ｉｉｉ）使用者の安全及び快適さのために、虹彩模様の色付きインクの中に存在する顔料を閉じ込めることをはじめとする多数の利点を提供する。当然、当業者は、場合によってはカバー層３０又は不透明な虹彩模様２０を省いてもよく、得られるレンズが別の用途を保持するということを認識するであろう。また、レンズボディ、シミュレートされた虹彩模様２０及びカバー層３０の図示する位置、相対的サイズ及び形状が参照及び理解のためのものにすぎず、各部品を縮尺どおりに示したり、各部品の実特性を近似したりすることを意図しないということが理解されよう。
【００２０】
本発明のレンズ１０は、注型、旋削及び／又は適切なレンズ成形技術によって製造することができる。同様に、シミュレートされた虹彩模様２０及びカバー層３０は、プリント、スタンピング又は適切な被着方法によってレンズボディの中又は上に被着させることができる。特に図２を参照しながら好ましい製造方法を記載し、図３〜１５を参照しながら種々の例を記載する。オス型５０がメス型５２と重ね合わされるてレンズ成形チャンバ５４を画定する。図２によって示す型形状は単なる例であり、実際の型形状を表すことを意図しないし、必ずしも縮尺どおりであることを意図しない。透明インク６０及び着色剤を含むインク６２が一方又は両方の型５０、５２に塗布されて、それぞれカバー層３０及びシミュレートされた虹彩模様２０を形成する。図示する実施態様では、透明インク６０及び着色剤を含むインク６２は、レンズの凹形ベース面１２を形成するオス型５０の凸面に塗布される。透明インク６０が型に塗布され、着色剤を含むインク６２が一以上の模様要素として透明インクの上に塗布されると、成形時のレンズへのインク転写の結果として、透明インクが、着色剤を含むインクの上に被さり、着色剤を含むインクを完成品レンズ１０の中に封じ込める。レンズ１０は、好ましくは、公知のレンズ成形技術にしたがってレンズ材料を成形チャンバ５４に流し込み、その材料を重合及び硬化させることによって形成する。このようにして、虹彩模様及びカバー層がレンズそのものの中に埋め込まれて、虹彩模様及びカバー層が好ましくはレンズの残り部分に化学結合及び／又は接着している結着した一体ボディを形成する。あるいはまた、シミュレートされた虹彩模様２０は、プリント、スタンピング又は適切な被着方法によって予備成形済みレンズに被着させる。
【００２１】
本発明の好ましい態様で、透明インク６０及び着色剤を含むインク６２は、転写プリントによって型５０、５２に被着させる。インクは、凸版パターンに塗布されたのち、その凸版パターンから転写プリントパッドを介して型に転写される。続いて、流し込み成形工程で、インクは型からレンズの中に転写される。好ましくは、まず、透明インク６０が転写プリントによって実質的に連続的な一様な円環模様として型に塗布される。次に、着色剤を含むインク６２が転写プリントによって一以上の模様要素として透明インクの上に塗布されて、所望の不透明なシミュレートされた虹彩模様２０を形成する。
【００２２】
好ましい態様では、複数の異なる模様要素が組み合わさってシミュレートされた虹彩模様２０を形成する。異なる模様要素の一以上は、好ましくは、まだら状又は他の状態で不連続な模様を含む。より好ましくは、複数の異なる模様要素の二以上がまだら状又は他の状態で不連続であり、相補的に重ね合わされるか又は連結すると、これら不連続な模様要素が組み合わさって連続的な全面的に不透明なシミュレートされた虹彩模様を形成する。組み合わさってシミュレートされた虹彩模様２０を形成する異なる模様要素は、好ましくは、自然な虹彩の見かけをシミュレートする模様で被着される異なる色を含む。異なる色の模様要素は、全く別々の色（たとえば緑と茶色）及び／又は同じ色の異なる濃淡もしくは階調（たとえば濃青と淡青）の模様要素を含むということが理解されよう。たとえば、以下、図３〜６を参照しながら記載する重ね合わされる模様要素の第一の組み合わせ、図７〜１１を参照しながら記載する重ね合わされる模様要素の第二の組み合わせ及び図１２〜１５を参照しながら記載する重ね合わされる模様要素の第三の組み合わせを参照して、種々のカラーシーケンスを説明する。色の連続層の追加効果は、より自然な異なる色相を虹彩模様２０の最終的な色に与える。個々の模様要素のいくつかは不連続であるが、互いに正しく整合して被着されると、組み合わさって連続的な不透明模様を形成する。たとえば、図４の模様の中の空間は、正しく整合して被着されると、図５及び６の模様によって埋められる。同様に、図１０又は図１１の模様の中の空間は、正しく整合して被着されると、図８及び／又は９の模様によって埋められる。図１３の模様の中の空間は、正しく整合して被着されると、図１４及び１５の模様によって埋められる。個々の模様要素のわずかな整合不良又は配向不良を補償するため、模様要素を模様の縁でわずかに重ねながら設けることが望ましいかもしれない。
【００２３】
本発明は、好ましくは、シミュレートされた虹彩模様２０に選択的な色階調及び／又は濃淡を付けて平坦な虹彩の見かけを作り出すことをさらに含む。たとえば、凸形面に被着されると、模様中の濃めの色は引っ込んで見え、淡めの色は浮き出て見える。したがって、適切には、内寄り領域又はその一部を隣接の外寄り領域よりも濃い色合いにすることにより、三次元の凸形面に被着された虹彩模様はほぼ二次元又は平坦に見える。本発明の好ましい態様では、シミュレートされた虹彩模様２０は、内縁及び外縁を有する円環を含む。内縁に隣接する内寄り領域は、虹彩模様の隣接領域よりも濃い色合いである。このようにして、凸レンズ面の頂点により近い虹彩模様の中央寄り部分は、レンズ模様が被着されている面の凸状態にもかかわらず、虹彩模様の残り部分に対して引っ込んで見えて、ほぼ平坦な虹彩の見かけを作り出す。虹彩模様は、好ましくは、濃いめ色合いの内寄り領域と淡めの色合い隣接部分との間に実質的に滑らかな色移行部を含む。以下で詳述するように、図３〜６、図７〜１１及び図１２〜１５にそれぞれ示す虹彩模様の要素を参照すると、本発明の選択的な色階調及び／又は濃淡付けのいくつかの実施例がより理解されよう。
【００２４】
インク組成物
本発明は、上記レンズを製造するのに使用するための種々のインク組成物をさらに含む。インク組成物に望ましい性質は、（ｉ）型材料への付着（玉状になったり、インク模様をゆがめたりしない）、（ｉｉ）下にある層を溶けさせたり、破損させたり、他の方法で有意にゆがめたりすることなく、一以上のさらに重なるインク層を受容する能力、（ｉｉｉ）レンズ材料を注型したときインク模様が溶けたり、破損したり、有意にゆがんだりすることがないようなレンズ材料との模様保持適合性、ならびに（ｉｖ）型表面からの模様の転写ならびにレンズ材料へのインクの組み込み及び結合の容易さを含む。上記（ｉ）に関しては、型をコロナ処理するか、型をプライマーでコーティングすることによって玉状化を回避できることが留意されるべきである。インク組成物の第一の例では、シミュレートされた虹彩模様２０を形成するための使用される色付きインク及びカバー層３０を形成するための使用される透明インクは、好ましくは、レンズ材料ベースのインク組成物を含む。すなわち、インクは、レンズポリマーにも含まれる成分を含有すべきである。たとえば、ヒドロキシエチルメタクリレート（ＨＥＭＡ）ベースのレンズ材料を含むレンズボディの場合、ＨＥＭＡを含むインク組成物を使用することが好ましい。
【００２５】
【表１】
2004516524.tif 000002
【００２６】
このインクは、ポリプロピレン型表面での使用に好適であることがわかった。インクは、以下のように調合することが好ましい。上記で示した個々の成分を別々の容器の中に計量した。イソプロピルアルコールをキャップ付きの２５０ｍｌガラス容器に入れた。ＢＭＥをＩＰＡに加え、攪拌機を２５０ｒｐｍで使用してこの混合物を攪拌した。ＢＭＥがすべて溶解すると（２分未満）、ＨＥＭＡを加え、攪拌を約２分間継続した。ＰＶＰを、塊にならないよう何回かに分けて５〜１０分かけて徐々に加えた。攪拌する間、溶剤の蒸発を最小限にするため、容器を覆うことを奨める。ＰＶＰを加える間、攪拌機の速度を４５０〜５００ｒｐｍまで徐々に高めた。不慮の破損を避けるため、攪拌機の回転羽根がガラス容器に触れないよう注意しなければならない。溶液が均一になると、顔料を何回かに分けて加え、攪拌をさらに５〜１０分間継続して望みの色のインクを得た。カバー層３０を形成するために使用される透明インクは、顔料を除いて上記成分を同様な割合で含めることを含有する同様な方法で調合する。本発明の代替態様では、ポリビニルアルコール（ＰＶＡ）の透明な水性溶液を透明インクに代えて用いてカバー層３０を形成する。
【００２７】
代替のインク組成を以下に記す。
【００２８】
【表２】
2004516524.tif 000003
【００２９】
このインク組成物は、ポリプロピレン型表面への塗布に好適であることがわかった。透明インクは、顔料を省くことによって製造する。
【００３０】
【表３】
2004516524.tif 000004
【００３１】
このインク組成物は、ポリカーボネート又はポリメチルメタクリレート型表面への塗布に好適であることがわかった。透明インクは、顔料を省くことによって製造する。
【００３２】
上記親インク組成物のいずれかを基に、種々のＦＤＡ認可顔料又はそれらの混合物を使用して、多様な「娘」インクを調製することができる。顔料は、（１）白色酸化チタン（ＩＶ）、（２）フタロシアニングリーン、（３）赤色酸化鉄、（４）フタロシアニンブルー、（５）黄色酸化鉄、（６）クロモフタルバイオレット、（７）緑色酸化クロム及び（８）黒色酸化鉄を含む。娘インクの調製に使用される顔料成分の組み合わせ例及びそれらの成分の概ねの量は以下を含む。
【００３３】
【表４】
2004516524.tif 000005
2004516524.tif 000006
2004516524.tif 000007
【００３４】
色模様組み合わせ例
図３〜１５の凸版パターン及び上記インクカラー組成物を参照しながら本発明の色模様組み合わせ例を以下に記す。シミュレートされた虹彩模様２０の模様要素は、好ましくは、図示する種々の凸版パターンを指定のインク色で使用して、指定の順序で転写プリントすることによって型に被着させる。
【００３５】
【表５】
2004516524.tif 000008
2004516524.tif 000009
2004516524.tif 000010
2004516524.tif 000011
【００３６】
上記のように、個々の模様要素を正確に整合及び配向させる結果として、模様要素の組み合わせが相補的に連結して連続的な不透明虹彩模様を形成する。レンズ材料を注型し、それにより、プリントされた虹彩模様を型から硬化したレンズボディに転写する。記載した色及び凸版パターンを組み合わせる結果、自然で写実的な虹彩の見かけが得られる。当然、多様な他の色の組み合わせ及び凸版パターンが本発明の範囲に入ることが当業者によって理解されよう。
【００３７】
本発明をその好ましい態様で説明したが、本発明の本質及び範囲を逸することなく多様な追加、変形及び削除をこれに加えることができることが当業者には容易に理解されよう。
【図面の簡単な説明】
【図１ａ】
本発明の好ましい態様のコンタクトレンズの側断面図である。
【図１ｂ】
図１に示すコンタクトレンズの平面図である。
【図２】
本発明の好ましい態様によるコンタクトレンズを成形するための型の側断面図である。
【図３】
本発明の好ましい態様によるシミュレートされた虹彩模様である重ね合わされる模様要素を示す。
【図４】
本発明の好ましい態様によるシミュレートされた虹彩模様である重ね合わされる模様要素を示す。
【図５】
本発明の好ましい態様によるシミュレートされた虹彩模様である重ね合わされる模様要素を示す。
【図６】
本発明の好ましい態様によるシミュレートされた虹彩模様である重ね合わされる模様要素を示す。
【図７】
本発明のもう一つの好ましい態様によるシミュレートされた虹彩模様である重ね合わされる模様要素を示す。
【図８】
本発明のもう一つの好ましい態様によるシミュレートされた虹彩模様である重ね合わされる模様要素を示す。
【図９】
本発明のもう一つの好ましい態様によるシミュレートされた虹彩模様である重ね合わされる模様要素を示す。
【図１０】
本発明のもう一つの好ましい態様によるシミュレートされた虹彩模様である重ね合わされる模様要素を示す。
【図１１】
本発明のもう一つの好ましい態様によるシミュレートされた虹彩模様である重ね合わされる模様要素を示す。
【図１２】
本発明のさらに別の好ましい態様によるシミュレートされた虹彩模様である重ね合わされる模様要素を示す。
【図１３】
本発明のさらに別の好ましい態様によるシミュレートされた虹彩模様である重ね合わされる模様要素を示す。
【図１４】
本発明のさらに別の好ましい態様によるシミュレートされた虹彩模様である重ね合わされる模様要素を示す。
【図１５】
本発明のさらに別の好ましい態様によるシミュレートされた虹彩模様である重ね合わされる模様要素を示す。
【国際公開パンフレット】
2004516524.tif 000012
2004516524.tif 000013
2004516524.tif 000014
2004516524.tif 000015
2004516524.tif 000016
2004516524.tif 000017
2004516524.tif 000018
2004516524.tif 000019
2004516524.tif 000020
2004516524.tif 000021
2004516524.tif 000022
2004516524.tif 000023
2004516524.tif 000024
2004516524.tif 000025
2004516524.tif 000026
2004516524.tif 000027
2004516524.tif 000028
2004516524.tif 000029
2004516524.tif 000030
2004516524.tif 000031
2004516524.tif 000032
2004516524.tif 000033
2004516524.tif 000034
2004516524.tif 000035
2004516524.tif 000036
2004516524.tif 000037
2004516524.tif 000038
2004516524.tif 000039
2004516524.tif 000040
【国際公開パンフレット（コレクトバージョン）】
2004516524.tif 000041
【国際調査報告】
2004516524.tif 000042
2004516524.tif 000043
2004516524.tif 000044
2004516524.tif 000045